(57)【要約】【課題】側壁部に汚れが溜まりにくいシンクを提供する。【解決手段】第１の態様のシンク１は、互いに対向する前壁部２１及び後壁部２２、互いに対向する左壁部２３及び右壁部２４を有する側壁部２を備える。前壁部２１及び後壁部２２の少なくとも一方は、上傾斜部２５と、下傾斜部２６と、を有する。上傾斜部２５は、対向する側壁部２側へ行くほど下方へ位置するように、水平方向に対して第１傾斜角で傾斜する。下傾斜部２６は、上傾斜部２５の下側に隣接して位置し、対向する側壁部２側へ行くほど下方へ位置するように水平方向に対して第１傾斜角よりも小さい第２傾斜角で傾斜する。【選択図】図２
2020084690.tif 000002
【特許請求の範囲】
【請求項１】
互いに対向する前壁部及び後壁部、互いに対向する左壁部及び右壁部を有する側壁部を備え、
前記前壁部及び前記後壁部の少なくとも一方は、
対向する前記側壁部側へ行くほど下方へ位置するように、水平方向に対して第１傾斜角で傾斜する上傾斜部と、
前記上傾斜部の下側に隣接して位置し、対向する前記側壁部側へ行くほど下方へ位置するように水平方向に対して前記第１傾斜角よりも小さい第２傾斜角で傾斜する下傾斜部と、
を有するシンク。
【請求項２】
前記上傾斜部の下端部に載置されるプレートを更に備える
請求項１記載のシンク。
【請求項３】
前記プレートの前記上傾斜部の前記下端部に載置される端部が、水平方向に対して前記第１傾斜角で傾斜する端面を有する
請求項２記載のシンク。
【請求項４】
前記前壁部が前記上傾斜部及び前記下傾斜部を有し、
前記後壁部に取り付けられる収納部を更に備え、
前記プレートの前端部は、前記上傾斜部の前記下端部に載置され、
前記プレートの後端部は、前記収納部に載置される
請求項２又は３に記載のシンク。
【請求項５】
前記前壁部及び前記後壁部の両方が前記上傾斜部及び前記下傾斜部を有し、
前記プレートの前端部は、前記前壁部の前記上傾斜部の前記下端部に載置され、
前記プレートの後端部は、前記後壁部の前記上傾斜部の前記下端部に載置される
請求項２又は３に記載のシンク。
【発明の詳細な説明】
【技術分野】
【０００１】
本開示は、シンクに関し、さらに詳しくは、側壁部に傾斜を有するシンクに関する。
【背景技術】
【０００２】
従来、側壁部に段部を有するシンクが知られている（例えば特許文献１参照）。特許文献１に示されるシンクにあっては、正面側壁部に設けられた段部を正面レール部とし、手前側壁部に設けられた段部を手前レール部としている。第一水切り籠の短辺からなる一端側の係止部が、正面側壁部の正面レール部に載置されている。また、第一水切り籠の短辺からなる他端側の係止部が、手前側壁部の手前レール部に載置されている。
【先行技術文献】
【特許文献】
【０００３】
【特許文献１】特開２０１８−９６１８１号公報
【発明の概要】
【発明が解決しようとする課題】
【０００４】
しかしながら、特許文献１に示されるシンクにあっては、側壁部が段部を有するため、段部に汚れが溜まりやすく、また、段部に溜まった汚れを除去しにくい、という問題があった。
【０００５】
本開示は上記従来の問題点に鑑み、側壁に汚れが溜まりにくいシンクを提供することを目的とする。
【課題を解決するための手段】
【０００６】
上記課題を解決するために、本開示に係る一形態のシンクは、互いに対向する前壁部及び後壁部、互いに対向する左壁部及び右壁部を有する側壁部を備える。前記前壁部及び前記後壁部の少なくとも一方は、上傾斜部と、下傾斜部と、を有する。前記上傾斜部は、対向する前記側壁部側へ行くほど下方へ位置するように、水平方向に対して第１傾斜角で傾斜する。前記下傾斜部は、前記上傾斜部の下側に隣接して位置し、対向する前記側壁部側へ行くほど下方へ位置するように水平方向に対して前記第１傾斜角よりも小さい第２傾斜角で傾斜する。
【発明の効果】
【０００７】
本開示に係る一形態のシンクにあっては、側壁部の途中に段差がなくてすむため、側壁部に汚れが溜まりにくい。
【図面の簡単な説明】
【０００８】
【図１】図１Ａは、本開示の第一実施形態に係るシンクの平面図である。図１Ｂは、同上のシンクの断面図である。
【図２】図２Ａは、同上のシンクにプレートを載置した状態の平面図である。図１Ｂは、同上のシンクにプレートを載置した状態の断面図である。
【図３】図３は、同上のシンクにプレートを載置した状態の要部拡大図である。
【図４】図４は、第二実施形態に係るシンクにプレートを載置した状態の要部拡大図である。
【図５】図５は、第三実施形態に係るシンクの平面図である。
【図６】図６Ａは、同上のシンクにプレートを載置した状態の平面図である。図６Ｂは、同上のシンクにプレートを載置した状態の断面図である。
【発明を実施するための形態】
【０００９】
以下、本開示の第一実施形態に係るシンクについて、図１〜図３に基いて説明する。
【００１０】
シンクは、キッチンに設置される厨房装置に含まれる。厨房装置は、カウンター、バックガード、シンク及び収納家具を備えている。収納家具は、上方に開口するキャビネットで主な部分が構成され、キッチンの床面に設置される。収納家具の上面に、カウンターが載置される。カウンターは、樹脂で形成され、バックガード及びシンクを一体に有する。また、カウンターは、ガスコンロ又はいわゆるＩＨ（induction heating）調理器の設置部を有してもよい。カウンターは、平面視において矩形状をしており、一部にシンクが形成される。
【００１１】
シンク１は、図１Ａ及び図１Ｂに示すように、側壁部２及び底壁部３を備える、平面視矩形状の上方に開口した槽である。ここで、図１Ａに示すように、前後左右を規定する。すなわち、シンク１及びシンク１を備えた厨房装置は、設計上、使用者の位置が決められている。シンク１及びシンク１を備えた厨房装置を基準として、設計上の使用者の位置の方を前方とし、その反対の方を後方とする。また、使用者が後方を向いたときの左の方を左方とすると共に右の方を右方とする。
【００１２】
図１Ａ及び図１Ｂに示すように、側壁部２は、互いに対向する前壁部２１及び後壁部２２、互いに対向する左壁部２３及び右壁部２４を有する。底壁部３は、上面がシンク１の底面となる。底壁部３の一部は、それ以外の部分である基底面３０より隆起して、台面３１を構成している。基底面３０における左右方向の中央部で、かつ、前後方向の後端部近傍に、排水口３２が形成されている。また、側壁部２の上端部からは、前後左右に向けてフランジ部４が突出している。フランジ部４の上面は、カウンター面４０となる。カウンター面４０は、設計上、水平面である。台面３１は、シンク１の基底面３０よりも高く、かつ、カウンター面４０よりも低い高さまで隆起した面である。
【００１３】
第一実施形態では、底壁部３の上面のうち、左右方向の左端部から、底壁部３の左右方向の長さの１／４〜１／３の部分が、前後方向全体にわたって台面３１となっている。更に、底壁部３の上面のうち、後壁部２２の前面から、底壁部３の前後方向の長さの１／１０程度の部分が延長部３１１となっており、台面３１を構成する。台面３１は、連続した水平面となっている。
【００１４】
なお、前壁部２１は、本来は、シンク１の基底面３０の前方に位置する側壁部２のみならず、台面３１（延長部３１１を含む）の前方に位置する側壁部２も含む。しかしながら、以下の説明においては、前壁部２１という場合、槽の実質的な側壁部となる、シンク１の基底面３０の前端から立ち上がる側壁部２、及び、延長部３１１の前方に位置する側壁部２を指し、延長部３１１を除く台面３１の前端から立ち上がる側壁部２を含まないものとする。同様に、後壁部２２という場合、槽の実質的な側壁部となる、シンク１の基底面３０の後端から立ち上がる側壁部２、及び、延長部３１１の前端から下がる側壁部２を指し、延長部３１１を除く台面３１の後端から立ち上がる側壁部２を含まないものとする。同様に、左壁部２３という場合、槽の実質的な側壁部となる、台面３１（延長部３１１を含む）の右端から下がる側壁部２を指し、台面３１（延長部３１１を含む）の左端から立ち上がる側壁部２を含まないものとする。
【００１５】
台面３１は、槽の実質的な底面となる基底面３０よりも高く形成されている。このため、例えば食材等の濡れた物品を台面３１に載置して、槽内の食器に水をかけたりしても、台面３１に載置した食材には水がかかりにくい。また、食材等の濡れた物品をカウンター面４０に載置しなくてもよいため、カウンター面４０を洗い流す手間がかからない。
【００１６】
また、台面３１は、カウンター面４０よりも低く形成されている。このため、作業者が、例えば食材等の濡れた物品を台面３１に載置した後、濡れて汚れが付着した台面３１を洗う場合、台面３１に水をかけるだけで、容易に、汚れを含んだ水をシンク１内に流し込ませることができる。すなわち、台面３１に水をかけても、台面３１にかかった水は、台面３１よりも高いカウンター面４０に流れ込みにくく、殆どの水を容易にシンク１内に流し込ませることができる。
【００１７】
このようなシンク１には、図２Ａ及び図２Ｂに示すように、プレート５が補助的に載置されて、シンク１が利用される。
【００１８】
プレート５は、基底面３０の上方に配置される。プレート５は、平面視において、前後に長い矩形状をしているが、特に形状は限定されない。また、プレート５は、樹脂で形成され、上面全体に載置面を有しているが、材質は限定されず、また、全体に載置面が形成されなくてもよい。プレート５の前後方向における長さは、延長部３１１の前端から、前側のカウンター面４０までの間の長さとほぼ同じに形成されている。
【００１９】
第一実施形態では、図２Ａに示すように、前壁部２１の上端部に、プレート５の前端部５１が載置される前段部２１１が形成されている。前段部２１１の上面は、カウンター面４０よりも、プレート５の厚み分と同じ位か厚み分以上低く位置している。また、後壁部２２の上端部に、プレート５の後端部５２が載置される後段部２２１が形成されている。後段部２２１の上面は、カウンター面４０よりも、プレート５の厚み分と同じ位か厚み分以上低く位置している。図２Ａ及び図２Ｂに示すように、プレート５の前端部５１が前段部２１１に載置され、プレート５の後端部５２が後段部２２１に載置されて、プレート５が基底面３０の上方に配置される。これにより、カウンター面４０を延長したのと同様の効果が得られる。
【００２０】
また、プレート５を、側壁部２の上下方向の中間部に配置することもできる。第一実施形態では、図１Ａ及び図２Ａに示すように、前壁部２１及び後壁部２２が、上傾斜部２５及び下傾斜部２６を有している。図３に示すように、前壁部２１が有する上傾斜部２５は、対向する側壁部２側（すなわち後方）へ行くほど下方へ位置するように、水平方向に対して第１傾斜角θ１で傾斜する。すなわち、前壁部２１が有する上傾斜部２５は、後方へ向けて、第１傾斜角θ１で下り傾斜している。第１傾斜角θ１は、例えば８５度、８０度、７０度、６０度等、概ね８５度以下で６０度以上の角度を満たす。
【００２１】
また、前壁部２１が有する下傾斜部２６は、上傾斜部２５の下側に隣接して位置し、対向する側壁部２側（すなわち後方）へ行くほど下方へ位置するように水平方向に対して第１傾斜角θ１よりも小さい第２傾斜角θ２で傾斜する。すなわち、前壁部２１が有する下傾斜部２６は、後方へ向けて、第２傾斜角θ２で下り傾斜している。第２傾斜角θ２は、例えば８０度、７５度、６５度、５５度、４５度等、概ね８０度以下で４５度以上、かつ、第１傾斜角θ１より小さい角度を満たす。
【００２２】
また、図示しないが、後壁部２２が有する上傾斜部２５は、前方へ向けて、第１傾斜角θ１で下り傾斜し、後壁部２２が有する下傾斜部２６は、前方へ向けて、第２傾斜角θ２で下り傾斜している。
【００２３】
前壁部２１における上傾斜部２５と下傾斜部２６との間の境界部と、後壁部２２における上傾斜部２５と下傾斜部２６との間の境界部は、同じ高さに位置する。
【００２４】
図２Ｂ及び図３に示すように、プレート５の端部５０は、上傾斜部２５の下端部に載置される。すなわち、プレート５の前端部５１は、前壁部２１が有する上傾斜部２５の下端部に載置される。プレート５の後端部５２は、後壁部２２が有する上傾斜部２５の下端部に載置される。プレート５の端部５０が上傾斜部２５の下端部に載置された状態で、プレート５の上面は水平面となる。
【００２５】
このように、プレート５の端部５０が、上傾斜部２５の下端部に載置されると、プレート５が前後方向にずれても、端部５０は上傾斜部２５よりも傾斜角の緩い下傾斜部２６で受けられやすい。このため、プレート５が前後方向にずれても、端部５０が大きく落ち込みにくく、また、プレート５が前後方向にずれにくい。これにより、プレート５を安定してシンク１に載置することができる。
【００２６】
また、図１Ｂ及び図２Ｂに示すように、側壁部２は、上下方向の中間部において、従来例のような段部を有しない。このため、従来例のように、段部に汚れが溜まることがないため汚れが溜まりにくい。また、仮に上傾斜部２５と下傾斜部２６との間に汚れが溜まっても、汚れを除去しやすい。
【００２７】
次に、第二実施形態のシンク１について、図４に基いて説明する。なお、第二実施形態のシンク１は、第一実施形態のシンク１と大部分において同じである。このため、第一実施形態と重複する説明については、説明を省略する。
【００２８】
第一実施形態では、図３に示すように、プレート５の端部５０（図３では前端部５１）の端面は、プレート５の上面に対して直交していた。これに対し、第二実施形態では、図４に示すように、プレート５の端部５０は、水平方向に対して第１傾斜角θ１で傾斜する端面５３を有する。第二実施形態では、プレート５の端部５０が、上傾斜部２５の下端部に載置された状態で、プレート５の上面が水平面を保ちながら、端面５３が上傾斜部２５の下端部に沿い、面接触する。これにより、プレート５をより安定してシンク１に載置することができる。
【００２９】
次に、第三実施形態のシンク１について、図５及び図６に基いて説明する。なお、第三実施形態のシンク１は、第一実施形態及び第二実施形態のシンク１と大部分において同じである。このため、第一実施形態及び第二実施形態と重複する説明については、説明を省略する。
【００３０】
第一実施形態及び第二実施形態では、前壁部２１及び後壁部２２の両方が上傾斜部２５及び下傾斜部２６を有していた。これに対し、第三実施形態では、前壁部２１のみが上傾斜部２５及び下傾斜部２６を有し、後壁部２２は上傾斜部２５及び下傾斜部２６を有していない。
【００３１】
第三実施形態では、後壁部２２に収納部６が取り付けられる。収納部６は、物品が載置される本体部６１と、本体部６１の上端部に形成される枠からなる引っ掛け部６２と、引っ掛け部６２の中間部から前方に突出する支持部６３と、を有する。
【００３２】
プレート５の前端部５１は、前壁部２１が有する上傾斜部２５の下端部に載置される。プレート５の後端部５２は、収納部６の支持部６３に載置される。
【００３３】
第三実施形態では、上傾斜部２５及び下傾斜部２６が、前壁部２１にのみ形成されればよい。また、収納部６を有効に利用して、プレート５をシンク１に載置することができる。
【００３４】
次に、第一実施形態〜第三実施形態の変形例について説明する。
【００３５】
シンク１を含む厨房装置及びカウンターとして、第一実施形態〜第三実施形態に示す厨房装置及びカウンターは、一例である。シンク１を含む厨房装置及びカウンターは、上記厨房装置に限定されない。また、シンク１は、第一実施形態〜第三実施形態に示すような厨房装置及びカウンターに含まれなくてもよく、シンク１単独で用いられてもよい。
【００３６】
上記実施形態では、第１傾斜角θ１は、概ね８５度以下でかつ６０度以上のうちのいずれかの角度であるが、数値は限定されない。
【００３７】
上記実施形態では、第２傾斜角θ２は、概ね８０度以下で４５度以上、かつ、第１傾斜角θ１より小さい角度であるが、数値は限定されない。
【００３８】
以上、述べた本実施形態およびその変形例から明らかなように、第１の態様のシンク１は、互いに対向する前壁部２１及び後壁部２２、互いに対向する左壁部２３及び右壁部２４を有する側壁部２を備える。前壁部２１及び後壁部２２の少なくとも一方は、上傾斜部２５と、下傾斜部２６と、を有する。上傾斜部２５は、対向する側壁部２側へ行くほど下方へ位置するように、水平方向に対して第１傾斜角θ１で傾斜する。下傾斜部２６は、上傾斜部２５の下側に隣接して位置し、対向する側壁部２側へ行くほど下方へ位置するように水平方向に対して第１傾斜角θ１よりも小さい第２傾斜角θ２で傾斜する。
【００３９】
第１の態様によれば、段部に汚れが溜まることがないため側壁部２に汚れが溜まりにくく、仮に上傾斜部２５と下傾斜部２６との間に汚れが溜まっても、汚れを除去しやすい。
【００４０】
第２の態様では、第１の態様との組み合わせにより実現される。第２の態様では、シンク１は、上傾斜部２５の下端部に載置されるプレート５を更に備える。
【００４１】
第２の態様によれば、プレート５が前後方向にずれにくく、プレート５を安定してシンク１に載置することができる。
【００４２】
第３の態様では、第２の態様との組み合わせにより実現される。第３の態様では、プレート５の上傾斜部２５の下端部に載置される端部５０が、水平方向に対して第１傾斜角θ１で傾斜する端面５３を有する。
【００４３】
第３の態様によれば、プレート５をより安定してシンク１に載置することができる。
【００４４】
第４の態様では、第２の態様または第３の態様との組み合わせにより実現される。第４の態様では、前壁部２１が上傾斜部２５及び下傾斜部２６を有する。シンク１は、後壁部２２に取り付けられる収納部６を更に備える。プレート５の前端部５１は、上傾斜部２５の下端部に載置される。プレート５の後端部５２は、収納部６に載置される。
【００４５】
第４の態様によれば、上傾斜部２５及び下傾斜部２６が、前壁部２１にのみ形成されればよく、また、収納部６を有効に利用して、プレート５をシンク１に載置することができる。
【００４６】
第５の態様では、第２の態様または第３の態様との組み合わせにより実現される。第５の態様では、前壁部２１及び後壁部２２の両方が、上傾斜部２５及び下傾斜部２６を有する。プレート５の前端部５１は、前壁部２１の上傾斜部２５の下端部に載置される。プレート５の後端部５２は、後壁部２２の上傾斜部２５の下端部に載置される。
【００４７】
第５の態様によれば、プレート５をより安定してシンク１に載置することができる。
【符号の説明】
【００４８】
１    シンク
２    側壁部
２１  前壁部
２２  後壁部
２３  左壁部
２４  右壁部
２５  上傾斜部
２６  下傾斜部
５    プレート
５０  端部
５１  前端部
５２  後端部
５３  端面
６    収納部
θ１  第１傾斜角
θ２  第２傾斜角
【図１】
2020084690.tif 000003
【図２】
2020084690.tif 000004
【図３】
2020084690.tif 000005
【図４】
2020084690.tif 000006
【図５】
2020084690.tif 000007
【図６】
2020084690.tif 000008